(57)【要約】【課題】スーパーマーケットやコンビニエンスストアでペットボトル等の商品を購入したときに、特に買い物袋やバック等の持ち合わせがなくても、その商品を支障なく持ち帰ることができるようにする。【解決手段】陳列販売される商品に、プレミアムとして、その商品の収納が可能で、その商品の買い物用の袋として、またゴミ処分用の袋として利用することが可能な袋物を添付する。袋物の材料としては、太陽光、温度、微生物等の働きにより自然環境下で自然分解することが可能なプラスチック材料を用いる。【選択図】    図１
0003104924.tif 000002
【実用新案登録請求の範囲】
【請求項１】
陳列販売される商品に、プレミアムとして、その商品の収納が可能な袋物を添付してなることを特徴とするプレミアム付き商品。
【請求項２】
前記袋物は、前記商品の買い物用の袋およびゴミ処分用の袋として利用することが可能なことを特徴とする請求項１に記載のプレミアム付き商品。
【請求項３】
前記商品は、プラスチック製部材と金属製部材との組み合わせで構成され、この商品には前記プラスチック製部材と金属製部材とを分別してゴミとして処分するときにその分別の収納が可能な二つ以上の袋物がプレミアムとして添付されていることを特徴とする請求項１または２に記載のプレミアム付き商品。
【請求項４】
前記袋物は、太陽光、温度、微生物等の働きにより自然環境下で自然分解することが可能なプラスチック材料で形成されていることを特徴とする請求項１、２または３に記載のプレミアム付き商品。
【請求項５】
前記商品は、飲料入りの容器であることを特徴とする請求項１、２、３または４に記載のプレミアム付き商品。
【考案の詳細な説明】
【技術分野】
【０００１】
この考案は、スーパーマーケットやコンビニエンスストアなどで陳列販売されるプレミアム付き商品に関する。
【背景技術】
【０００２】
スーパーマーケットやコンビニエンスストアで買い物をしたときには、その商品をプラスチック製のいわゆるレジ袋に収納して持ち帰ることになる。
【０００３】
ところが近年、その多量に使用されるレジ袋が最終的にゴミとして処分されことからその処分による環境破壊の問題が生じている。
【０００４】
このようなことから、市町村の自治体によっては、スーパーマーケットやコンビニエンスストアではレジ袋を提供せず、各顧客が専用の買い物袋を持参するか、手持ちのバック等に商品を収納して持ち帰るようにする制度を採用する気運が高まっている。
【考案の開示】
【考案が解決しようとする課題】
【０００５】
しかしながら、例えば通勤や通学の途上でスーパーマーケットやコンビニエンスストアでペットボトル等の小物を購入するようなときでも買い物袋を携行しなければならないとなれば面倒で煩わしく、実情にそぐわない。
【０００６】
そこで、この考案では、スーパーマーケットやコンビニエンスストアでペットボトル等の商品を購入したときに、特に買い物袋やバック等の持ち合わせがなくても、その商品を支障なく持ち帰ることができるプレミアム付き商品を提供することを目的としている。
【課題を解決するための手段】
【０００７】
この考案は、陳列販売される商品に、プレミアムとして、その商品の収納が可能な袋物を添付してなることを特徴としている。
【０００８】
前記袋物は、前記商品の買い物用の袋およびゴミ処分用の袋として利用することが可能となっている。
【０００９】
前記商品は、プラスチック製部材と金属製部材との組み合わせで構成され、この商品には前記プラスチック製部材と金属製部材とを分別してゴミとして処分するときにその分別の収納が可能な二つ以上の袋物がプレミアムとして添付されている。
【００１０】
前記袋物は、太陽光、温度、微生物等の働きにより自然環境下で自然分解することが可能なプラスチック材料で形成されている。前記商品は、例えば飲料入りの容器である。
【考案の効果】
【００１１】
この考案によれば、スーパーマーケットやコンビニエンスストアに陳列販売されている商品を購入して持ち帰る際に、その商品にプレミアムとして添付されている袋物を買い物袋として利用することができる。したがって、特に買い物袋やバック等の持ち合わせがなくても、その商品を支障なく持ち帰ることができる
また、商品の消費後にその商品をゴミとして処分する際に、前記袋物をゴミ袋として利用することができる。
【００１２】
前記商品が、プラスチック製部材と金属製部材との組み合わせで構成されている場合、その材料の異なる各部材をゴミとして処分する際に、その各部材ごと分別してプレミアムとしての袋物内に収納して処分することができる。
【００１３】
前記袋物は、太陽光、温度、微生物等の働きにより自然環境下で自然分解することが可能なプラスチック材料で形成することにより、環境破壊の問題を解消することができる。
【考案を実施するための最良の形態】
【００１４】
以下、この考案の一実施形態について図面を参照して説明する。
【００１５】
図１には、スーパーマーケットやコンビニエンスストア等の商品棚に陳列されて販売される商品としての飲料入りペットボトル１を示してあり、このペットボトル１には広告ケース２が取り付けられ、この広告ケース２内に手提げが可能な袋物３が折り畳んで収納されている。
【００１６】
ペットボトル１は容器本体５と、この容器本体５の上端部の口部５ａに取り付けられたキャップ６とからなる。
【００１７】
広告ケース２は、扁平状でその上部に円形の開口２ａが形成され、その開口２ａをペットボトル１の口部５ａに差し込むことによりペットボトル１に取り付けられている。この広告ケース２の表面には、宣伝用のコピーやロゴとともに人目をひく彩色等が施されている。
【００１８】
広告ケース２内には袋物３が複数、例えば二つ収納されている。各袋物３は、自然分解可能なプラスチック材料、すなわち太陽光、温度、微生物等の働きにより自然環境下で最終的には水や二酸化炭素等に分解するプラスチック材料により形成されている。また、この広告ケース２の材料は焼却時においても有害物質を発生しない材料となっている。
【００１９】
二つの袋物３は、図２に示すように、その側縁がミシン目３ａを介してつながり、そのミシン目３ａを破断することにより二つの袋物３を引き離すことが可能となっている。そして一方の袋物３の表面には『金属類』の表記が、他方の袋物３の表面には『プラスチック類』の表記がそれぞれ施されている。
【００２０】
このようなペットボトル１においては、商品棚に陳列されているときに広告ケース２により顧客の目にとまり、かつプレミアムが付いていることから、顧客の購入意欲を高めて販売促進につながる。
【００２１】
そして、ペットボトル１を購入した顧客は、その精算場所で精算してペットボトル１を受け取るわけであるが、この際、精算場所でレジ袋の提供がない場合には、ペットボトル１に添付されている広告ケース２内からプレミアムとしての袋物３を取り出し、この袋物３内にペットボトル１を収納し、袋物３を買い物袋として利用する。
【００２２】
このように、専用の買い物袋や適当なバックの持ち合わせのない場合であっても、プレミアムとしての袋物３を使用して購入したペットボトル１を何ら支障なく持ち帰ることができる。
【００２３】
一方、ペットボトル１内の飲料を飲み終わった後には、前記袋物３をゴミ袋として利用することができる。袋物３は自然分解可能なプラスチック材料で形成されており、このためこの袋物３をゴミ袋として利用しても環境上問題が生じない。
【００２４】
ところで、ペットボトル１として、その容器本体５はプラスチック製であるが、その口部５ａに装着されたキャップ６が金属製となっているものがあり、このような場合には、そのプラスチック製の容器本体５と金属製のキャップ６とを分別してゴミとして処分する必要がある。
【００２５】
この考案では、ペットボトル１に対してプレミアムとして『プラスチック類』用と『金属類』用との二つの袋物３が備え付けられており、したがってプラスチック製の容器本体５はその『プラスチック類』用の袋物３内に収納し、金属製のキャップ６はその『金属類』用の袋物３内に収納することにより、その異なる材料の二種のゴミを分別して処分することができる。
【００２６】
特に、多数人が家庭内で、あるいは公園等の屋外でペットボトル１の飲料を飲み終え、その後のペットボトル１をゴミとして処分するようなときに的確にそれを分別することができる点で便利である。
【００２７】
なお、ペットボトル１に添付する袋物３は、図３に示すように、その端縁がミシン目３ａを介してつながり、そのミシン目３ａを破断することにより二つに引き離すことできるような構成であってもよい。また、当初から単体の独立した袋物３を広告ケース内に一つあるいは複数収納して商品に添付するような場合であってもよい。
【図面の簡単な説明】
【００２８】
【図１】この考案の一実施形態にプレミアム付き商品を示す斜視図。
【図２】そのプレミアムとしての袋物を展開して示す平面図。
【図３】袋物の他の例を示す平面図。
【符号の説明】
【００２９】
１…ペットボトル（商品）
２…広告ケース
３…袋物
５…容器本体
６…キャップ
【図１】
0003104924.tif 000003
【図２】
0003104924.tif 000004
【図３】
0003104924.tif 000005